(57)【要約】    【課題】  住人側において安全に居室にいて荷物を安全に、かつ確実に受け取ることができ、かつ外部業者側において安全に、かつ確実に配達のできる集合住宅における荷受システム。    【解決手段】  住人の利用する通信手段から外部業者の利用する通信手段に発信された発注情報アイテムに添付された第１のパスワードを入力して記録し、第２のパスワードを入力し、入力された第２のパスワードが第１のパスワードに一致するときに前記外扉についての鍵手段を解錠し、第３のパスワードを入力し、入力された第３のパスワードが第１のパスワードに一致するときに前記内扉についての鍵手段を解錠するパスワード情報を生成するコントローラを備え、前記荷受箱は、更に前記収納棚のいずれかに収納された荷物に添付された配達情報アイテムを確認する手段と、確認した配達情報アイテムと当該荷物が収納された収納棚についてのＩＤを前記コントローラに発信する手段とを備える。【選択図】  図１
2005231767.tif 000002
【特許請求の範囲】
【請求項１】
集合住宅の玄関扉脇に設備される荷受箱を使用した集合住宅における荷受システムにおいて、
前記荷受箱は、玄関外側から開く外扉と玄関内側から開く内扉を有する各独立した複数の収納棚を有し、各収納棚の各外扉および内扉は、パスワード情報の入力に基因して解錠される鍵手段を備え、
住人の利用する通信手段から外部業者の利用する通信手段に発信された発注情報アイテムに添付された第１のパスワードを入力して記録し、第２のパスワードを入力し、入力された第２のパスワードが第１のパスワードに一致するときに前記外扉についての鍵手段を解錠し、第３のパスワードを入力し、入力された第３のパスワードが第１のパスワードに一致するときに前記内扉についての鍵手段を解錠するパスワード情報を生成するコントローラを備え、
前記荷受箱は、更に前記収納棚のいずれかに収納された荷物に添付された配達情報アイテムを確認する手段と、確認した配達情報アイテムと当該荷物が収納された収納棚についてのＩＤを前記コントローラに発信する手段とを備え、
前記コントローラは、確認した配達情報アイテムと第２のパスワードが入力されて前記内扉についての鍵手段が解錠されたことを前記外部業者の利用する通信手段に、そして当該配達情報アイテムと前記ＩＤとを前記住人の利用する通信手段に送信することを特徴とする集合住宅における荷受システム。
【請求項２】
請求項１において、前記住人の利用する通信手段から発信された発信情報アイテムおよび第１のパスワードを入力して記録し、前記外部業者の利用する通信手段に送信し、かつ前記外部業者の利用する通信手段から発信される配達情報アイテムを入力して記録し、前記コントローラからの前記内扉についての鍵手段が解錠されたことを示す情報を入力して記録し、かつ前記外部業者の利用する通信手段に入力するサーバを備えることを特徴とする集合住宅における荷受システム。
【請求項３】
請求項１において、貯蔵器の内部に設置される質量検出器、前記貯蔵器内に貯蔵する貯蔵アイテムの量を予め記録する記録媒体、前記質量検出器で計測されたデータおよび前記記録媒体に記録するデータから貯蔵アイテムの貯蔵状態を演算し、前記発注情報アイテムを作成する処理手段、発注情報アイテムを表示する情報表示手段、発注情報アイテムを記録する記録媒体、前記コントローラと前記外部業者の利用する通信手段との間でデータの授受を行う通信手段を有する発注情報処理装置を備え、該発注情報処理装置は、前記外部業者の利用する通信手段から送信された配達情報アイテムに対して確認した配達情報アイテムを生成し、前記コントローラから送信される確認した配達情報アイテムと前記荷物が収納された収納棚についてのＩＤを前記情報表示手段に表示することを特徴とする集合住宅における荷受システム。
【請求項４】
請求項１から３のいずれかにおいて、前記コントローラは、第１のパスワードに一致した第３のパスワードが入力されたとき、前記確認した配達情報アイテムと前記荷物が収納された収納棚についてのＩＤを表示するアイテム表示手段を備えることを特徴とする集合住宅における荷受システム。
【請求項５】
請求項１から４のいずれかにおいて、前記外扉には、前記配達情報アイテムを確認する手段からの情報に基づいて当該外扉のついた収納棚が使用中か否かを表示する使用表示手段を備えることを特徴とする集合住宅における荷受システム。
【請求項６】
集合住宅の玄関扉脇に設備される荷受箱を使用した集合住宅における荷受システムにおいて、
前記荷受箱は、玄関外側から開く外扉と玄関内側から開く内扉を有する収納棚を有し、収納棚の各外扉および内扉は、パスワード情報の入力に基因して解錠される鍵手段を備え、
住人の利用する通信手段から外部業者の利用する通信手段に発信された発注情報アイテムに添付された第１のパスワードを入力して記録し、第２のパスワードを入力し、入力された第２のパスワードが第１のパスワードに一致するときに前記外扉についての鍵手段を解錠し、第３のパスワードを入力し、入力された第３のパスワードが第１のパスワードに一致するときに前記内扉についての鍵手段を解錠するパスワード情報を生成するコントローラを備え、
前記荷受箱は、更に前記収納棚に収納された荷物に添付された配達情報アイテムを確認する手段と、確認した配達情報アイテムと収納棚に当該荷物が収納されたことを前記コントローラに発信する手段とを備え、
前記コントローラは、確認した配達情報アイテムと第２のパスワードが入力されて前記内扉についての鍵手段が解錠されたことを前記外部業者の利用する通信手段に、そして当該配達情報アイテムと収納棚に当該荷物が収納されたこととを前記住人の利用する通信手段に送信することを特徴とする集合住宅における荷受システム。
【請求項７】
集合住宅の玄関扉脇に設備される荷受箱を使用した集合住宅における荷受システムにおいて、
前記荷受箱は、玄関外側から開く外扉と玄関内側から開く内扉を有する各独立した複数の収納棚を有し、各収納棚の各外扉および内扉は、パスワード情報の入力に基因して解錠される鍵手段を備え、
住人の利用する通信手段から外部業者の利用する通信手段に発信された発注情報アイテムに添付された第１のパスワードを入力して記録し、第２のパスワードを入力し、入力された第２のパスワードが第１のパスワードに一致するときに前記外扉についての鍵手段を解錠するパスワード情報を生成するコントローラを備え、
前記荷受箱は、更に前記収納棚のいずれかに収納された荷物に添付された配達情報アイテムを確認する手段と、確認した配達情報アイテムと当該荷物が収納された収納棚についてのＩＤを前記コントローラに発信する手段とを備え、
前記コントローラは、確認した配達情報アイテムと第２のパスワードが入力されて前記内扉についての鍵手段が解錠されたことを前記外部業者の利用する通信手段に、そして当該配達情報アイテムと前記ＩＤとを前記住人の利用する通信手段に送信することを特徴とする集合住宅における荷受システム。
【発明の詳細な説明】
【技術分野】
【０００１】
本発明は、集合住宅、すなわちマンションなどの住宅が集合した建物における荷物の荷受システムに関する。
【背景技術】
【０００２】
従来のシステムには、集合住宅用インターホンシステムとして特許文献１にあるように、配達用ロッカー、配達用ロッカーで入力された着荷情報などを各住戸に配信するための装置、各住戸に設置された商品などの依頼情報を入力する居室機などから構成されるシステムがある。
【０００３】
また、荷受システムについて特許文献２に記載してあるように、配送業者が配送しに来た荷物を集合住宅の収納箱に収納した際に、前記荷物の配送情報を入力するための情報入力手段と、前記収納箱の荷物の収納状態を監視すると共に、予め登録されている荷受人となる可能性がある人間の連絡先情報と前記情報入力手段によって荷物の着荷を通知するように制御する通知制御手段とを備え、前記通知制御手段は、前記連絡先情報を荷受人となる可能性がある人間が希望に応じて設定可能である荷受可能システムがある。
【０００４】
【特許文献１】特開２００２−５７８０４号公報
【特許文献２】特開２００２−１６０８１４号公報
【発明の開示】
【発明が解決しようとする課題】
【０００５】
上述した従来技術における集合住宅用インターホンシステムでは、玄関に設置された配達用ロッカーからは着荷情報、部屋番号などが各住戸の居室機入力装置に送信され、その情報をもとに各住人は荷物を受け取りに玄関まで行く必要がある。また、各住人は居室機入力装置から依頼商品、依頼人、依頼店舗の情報を入力して依頼店舗に送信するようになっている。このシステムでは荷物が届いた場合、各住人は玄関まで荷物を取りに行かなければならず、重量物の場合、居室まで運ぶのにかなりの負担となる。また集合住宅への新聞の配達も通常は玄関の荷物受に届けられるので、毎朝新聞を取りに行くのも居住者の負担となる。特に高齢者や体の不自由な人が集合住宅の高層階に居住している場合、荷物を居室まで運ぶのは相当の負担となる。また、居室入力装置から必要情報を入力し、商品発注作業は不慣れな人にとっては大きな負担となる。また常備品などは使用したいときに不足していて不自由するということが起こりうる。本発明は上述の難点を解消するためのもので、安全に居室にて荷物を安全に勝つ確実に受け取ることができる集合住宅における荷受システムを提供することを目的とする。また、本発明は、貯蔵器に貯蔵するアイテムの使用状況を監視しつつ、発注作業、荷受作業を容易に確認を行うようにする。
【課題を解決するための手段】
【０００６】
本発明は、集合住宅の玄関扉脇に設備される荷受箱を使用した集合住宅における荷受システムにおいて、前記荷受箱は、玄関外側から開く外扉と玄関内側から開く内扉を有する各独立した複数の収納棚を有し、各収納棚の各外扉および内扉は、パスワード情報の入力に基因して解錠される鍵手段を備え、住人の利用する通信手段から外部業者の利用する通信手段に発信された発注情報アイテムに添付された第１のパスワードを入力して記録し、第２のパスワードを入力し、入力された第２のパスワードが第１のパスワードに一致するときに前記外扉についての鍵手段を解錠し、第３のパスワードを入力し、入力された第３のパスワードが第１のパスワードに一致するときに前記内扉についての鍵手段を解錠するパスワード情報を生成するコントローラを備え、前記荷受箱は、更に前記収納棚のいずれかに収納された荷物に添付された配達情報アイテムを確認する手段と、確認した配達情報アイテムと当該荷物が収納された収納棚についてのＩＤを前記コントローラに発信する手段とを備え、前記コントローラは、確認した配達情報アイテムと第２のパスワードが入力されて前記内扉についての鍵手段が解錠されたことを前記外部業者の利用する通信手段に、そして当該配達情報アイテムと前記ＩＤとを前記住人の利用する通信手段に送信する集合住宅における荷受システムを提供する。
【０００７】
また、本発明は、集合住宅の玄関扉脇に設備される荷受箱を使用した集合住宅における荷受システムにおいて、前記荷受箱は、玄関外側から開く外扉と玄関内側から開く内扉を有する各独立した複数の収納棚を有し、各収納棚の各外扉および内扉は、パスワード情報の入力に基因して解錠される鍵手段を備え、住人の利用する通信手段から外部業者の利用する通信手段に発信された発注情報アイテムに添付された第１のパスワードを入力して記録し、第２のパスワードを入力し、入力された第２のパスワードが第１のパスワードに一致するときに前記外扉についての鍵手段を解錠するパスワード情報を生成するコントローラを備え、前記荷受箱は、更に前記収納棚のいずれかに収納された荷物に添付された配達情報アイテムを確認する手段と、確認した配達情報アイテムと当該荷物が収納された収納棚についてのＩＤを前記コントローラに発信する手段とを備え、前記コントローラは、確認した配達情報アイテムと第２のパスワードが入力されて前記内扉についての鍵手段が解錠されたことを前記外部業者の利用する通信手段に、そして当該配達情報アイテムと前記ＩＤとを前記住人の利用する通信手段に送信する集合住宅における荷受システムを提供する。
【発明の効果】
【０００８】
本発明によれば、発注した荷物を集合住宅の各住戸にて安全にかつ確実に受け取ることができる。また、本発明によれば、各住戸の貯蔵器に貯蔵するアイテムの使用状況を監視しつつ、発注作業、荷受作業を確実に行うことができる。
【発明を実施するための最良の形態】
【０００９】
集合住宅の玄関扉脇に設備される荷受箱を使用した集合住宅における荷受システムにおいて、前記荷受箱は、玄関外側から開く外扉と玄関内側から開く内扉を有する各独立した複数の収納棚を有し、各収納棚の各外扉および内扉は、パスワード情報の入力に基因して解錠される鍵手段を備え、住人の利用する通信手段から外部業者の利用する通信手段に発信された発注情報アイテムに添付された第１のパスワードを入力して記録し、第２のパスワードを入力し、入力された第２のパスワードが第１のパスワードに一致するときに前記外扉についての鍵手段を解錠し、第３のパスワードを入力し、入力された第３のパスワードが第１のパスワードに一致するときに前記内扉についての鍵手段を解錠するパスワード情報を生成するコントローラを備え、前記荷受箱は、更に前記収納棚のいずれかに収納された荷物に添付された配達情報アイテムを確認する手段と、確認した配達情報アイテムと当該荷物が収納された収納棚についてのＩＤを前記コントローラに発信する手段とを備え、前記コントローラは、確認した配達情報アイテムと第２のパスワードが入力されて前記内扉についての鍵手段が解錠されたことを前記外部業者の利用する通信手段に、そして当該配達情報アイテムと前記ＩＤとを前記住人の利用する通信手段に送信する集合住宅における荷受システムが構成される。
【００１０】
そして、更に前記住人の利用する通信手段から発信された発信情報アイテムおよび第１のパスワードを入力して記録し、前記外部業者の利用する通信手段に送信し、かつ前記外部業者の利用する通信手段から発信される配達情報アイテムを入力して記録し、前記コントローラからの前記内扉についての鍵手段が解錠されたことを示す情報を入力して記録し、かつ前記外部業者の利用する通信手段に入力するサーバを備える集合住宅における荷受システムが構成される。
【００１１】
そして、更に貯蔵器の内部に設置される質量検出器、前記貯蔵器内に貯蔵する貯蔵アイテムの量を予め記録する記録媒体、前記質量検出器で計測されたデータおよび前記記録媒体に記録するデータから貯蔵アイテムの貯蔵状態を演算し、前記発注情報アイテムを作成する処理手段、発注情報アイテムを表示する情報表示手段、発注情報アイテムを記録する記録媒体、前記コントローラと前記外部業者の利用する通信手段との間でデータの授受を行う通信手段を有する発注情報処理装置を備え、該発注情報処理装置は、前記外部業者の利用する通信手段から送信された配達情報アイテムに対して確認した配達情報アイテムを生成し、前記コントローラから送信される確認した配達情報アイテムと前記荷物が収納された収納棚についてのＩＤを前記情報表示手段に表示する集合住宅における荷受システムが構成される。
【００１２】
そして、更に前記コントローラは、第１のパスワードに一致した第３のパスワードが入力されたとき、前記確認した配達情報アイテムと前記荷物が収納された収納棚についてのＩＤを表示するアイテム表示手段を備える集合住宅における荷受システムが構成される。
そして、更に前記外扉には、前記配達情報アイテムを確認する手段からの情報に基づいて当該外扉のついた収納棚が使用中か否かを表示する使用表示手段を備える集合住宅における荷受システムが構成される。
【実施例１】
【００１３】
以下、本発明の実施例を図面に基づいて説明する。
図１は、本発明の実施例である荷受システム１００の構成を説明するための図である。図１において、集合住宅３０はたくさんの住戸３１を有し、エントランス部に集合住宅用の玄関ドア３２が備え付けられている。各住戸の玄関扉２１の脇には荷受箱（手段）１０が設置され、各住戸の居室内には貯蔵器１、例えば冷蔵庫が置かれている。図１は荷受箱１０を玄関外側から見た、そして図２は玄関内側から見た図である。
【００１４】
これらの図において、荷受箱１０は各独立した複数の収納棚４（４ａ、４ｂ、４ｃ）を備え、各収納棚４は玄関外側から開く外扉１１と玄関内側から開く内扉１２を備える。尚、図にあっては収納棚４ａに設けた外扉と内扉のみに番号を付してあるが、収納棚４ｂ、４ｃについても同様であり、他の構成についても収納棚４ａのみに表示するものとする。当然に外扉１１は玄関外側にある収納棚４の外面部１６に設けられ、内扉１２は玄関内側にある収納棚は玄関内側にある収納棚４の側面部１７に設けられる。
【００１５】
外面部１６には外側コントローラ１３が、そして側面部１７には内側コントローラ１４が設けられる。各コントローラ１３、１４はアイテム表示装置（手段）４１、４２を備える。
【００１６】
また、各収納棚４は前面の外扉１１に外側表示板４３を、そして側面の内扉１２には内側表示板４４を備え、収納棚４内に配達された荷物の内容を示す商品であるアイテムがあることを表示する。８８、８９は把手である。
各収納棚４の外扉１１と内扉１２には、パスワード情報入力に基因して解錠される鍵手段（図３参照）を備える。
【００１７】
図１には荷受箱１０が複数の収納棚４を有する例を表示するが、収納棚４は１個であってもよい。
【００１８】
貯蔵器１は、各独立した複数個の貯蔵器棚５を備え、その前面は貯蔵器扉４５となる。前面部４７に貯蔵器用コントローラ４８を備える。貯蔵器用コントローラ４８は、貯蔵器用表示板４９を備える。貯蔵器用表示板４９は貯蔵器棚が利用されているかを示す表示部である。
【００１９】
住人が利用する携帯電話機（図示せず）、内側コントローラ１４あるいは貯蔵器コントローラ４８はそれぞれ通信手段（図示せず）を含んだコントローラとして作動する。従って、携帯電話機と内側コントローラ１４と貯蔵器コントローラ４８の間で無線通信することができる。
【００２０】
貯蔵器１の貯蔵器棚５には質量検出器（図示せず）が取付けられている。質量検出器からの情報を受けて各扉４６に取付けられた表示板３６に各棚５の残存量を表示する。常備品の残存量を質量検出器で監視して、残存量が僅かとなったら、貯蔵器１に取付けられた貯蔵器用コントローラ４８の通信手段により、荷受箱１０に取付けられた内側コントローラ１４に発注催促の表示を出す。住人は発注催促表示を見て同意すれば、発注催促表示のOKボタンをクリックして発注承認作業を行う。発注承認作業を行うと、この発注品に付随して一回使用限定のパスワード（第１のパスワード）を設定して、発注情報と一緒にサーバ２０に送信する。貯蔵器用コントローラ４８から送信するようにしてもよい。サーバ２０は集合住宅３０に設置してもいいし、カスタマーセンタのサーバでもいい。サーバ２０には、外部業者の通信手段１９である販売業者２２すなわち各販売業者の通信手段２２には各販売業者の商品情報が記憶されており、これら予め登録された販売業者の商品から依頼者に有利となる販売業者、商品を選択して、発注情報及びパスワードを指定して通信手段２２に送信する。またこのとき同時に玄関ドア２１の外側コントローラ１３にパスワード情報（第２のパスワード、第３のパスワード）を送信する。発注を受けた販売業者は、通信手段２２を介して依頼商品の配送を指定された配送業者にその通信手段２３を介して依頼し、同時にその依頼商品に設定されたパスワード情報（第２のパスワード）を送信する。依頼を受けた配送業者は届け先集合住宅３０の玄関において、指定されたパスワード（第２のパスワード）を入力する。玄関ドア２１のコントローラ（図示せず）は、入力されたパスワードが送信された第１のパスワードと一致するかどうか比較し、一致した場合にのみ玄関ドアをあけ、集合住宅内に入ることを可能とする。配送業者は、届け先の玄関ドア前に来ると玄関ドア脇に設置された荷受箱１０に指定商品を納入することになる。入庫するために、配送業者は荷受箱１０に取付けられた外側コントローラ１３に発注時に指定されたパスワードを入力する。これが第２のパスワードとなる。記憶手段に記憶されたパスワードと一致する指定されたパスワードが入力されると荷受箱１０の外扉１１を開けることができるようになり、配送業者は荷受箱１０に商品を入庫する。前述のように、荷受箱１０には複数の商品を入庫できるように複数の収納棚４があり、それぞれの棚４に対応した外扉１１がついている。
【００２１】
配送業者は玄関の外扉１１から荷物である商品を入庫し、住人は玄関の内扉１２から商品を取り出すことができるようになっている。荷受箱１０の玄関の内側にも内側コントローラ１４が取付けられていて、内側コントローラ１４から出庫及び配送業者指定、出庫用パスワードの発行ができる。玄関内扉１２にも棚４が使用中か使用可かの表示板４４がついている。使用中表示となっていればその棚に注文した商品が入庫されていることを示す。使用可表示となっていれば、その棚に出庫用荷物を入庫することができる。
【００２２】
配送業者が集合住宅の住人にその住人が発注した荷物を届ける場合、まず住人が発注作業を行う。発注作業は、携帯電話機、貯蔵器１の貯蔵器用コントローラ４８、あるいは荷受箱１０の内側コントローラ１４から行う。貯蔵器１に収納してある常備品（アイテム）の残量が少なくなると、貯蔵器１の貯蔵器棚５に設置された質量検出器の出力から、貯蔵器１の貯蔵器用のコントローラ４８、あるいは荷受箱１０の内側のコントローラ１４に発注催促表示をする。住人が発注を希望する場合、貯蔵器用コントローラ４８または内側コントローラ１４のＯＫボタンをワンクリックするだけで発注作業は完了する。このとき同時に、発注商品に対する一回使用限定のパスワードを設定して送信する。発注品及びパスワードの情報はサーバ２０に送られる。サーバ２０には店舗、商品、値段などの情報がデータベース（図示せず）に蓄えられている。データベースの中から住人に有利となる販売業者の通信手段２２へ発注情報がサーバ２０から送信される。発注情報を受け取った販売業者は、発注品の配達を配送業者通信手段２３を介して依頼する。このとき配達先、配達日時、及び指定パスワードを送信する。配達依頼を受けた配送業者は、依頼先へ指定日時に品物（この場合には商品を含む配達物）を届ける。集合住宅の玄関ドア３２で、配送業者は指定パスワードを入力して集合住宅内に入り依頼先玄関まで行く。依頼先玄関脇の荷受箱１０の各外扉１１には使用中または使用可の表示が表示部４３になされている。荷受箱１０の外側コントローラ１３に指定されたパスワードを入力すると使用可能な収納棚の外扉１１の鍵が開く。複数棚が使用可能な場合、配送業者が任意に選んだ棚の扉を開けば、自動的に他の使用可能な棚の扉の鍵がかかり使用できないようになる。配送業者が荷物を荷受箱１０に収納して外扉１１を閉めると荷受箱１０の玄関内側の対応する内扉１２の表示部４４の表示が使用中となり、内側コントローラ１４に棚番号と収納物名が表示される。住人が、品物が荷受箱１０に収納されたことを確認したあと対応する内扉１２を開けて品物を取り出す。荷受箱１０の内側コントローラ１４には販売業社名、商品名、料金および送金受諾と拒否のボタンが表示される。取り出した品物に問題がなければ内側コントローラ１４の送金ボタンをクリックする。これにより依頼者の登録ずみの銀行口座から店舗の口座に品物代金が振り込まれる。住人が品物を取り出したあと一定時間を過ぎても送金ボタンがクリックされない場合、内側コントローラ１４から警告音を発して送金忘れを防ぐ仕組みとなっている。送金拒否のボタンをクリックすると返品要請の画面に移行し、配送業者に荷物配送の依頼作業へと移行していく。料金支払いシステムにおいてクレジットカード会社を通して支払うようにしてもよい。依頼者が商品を受け取って送金受諾すると、販売業者へは依頼者の登録済みのクレジットカードの情報が送信されて、クレジットカード会社の通信手段を介して銀行口座から販売業者の通信手段２２を介して代金が支払われる。
【００２３】
図３は、コントローラ５０による荷受システム１００の制御手段、制御方法を示す。コントローラ５０は、内側コントローラ１４によって、携帯電話機、外側コントローラ１３および貯蔵器用コントローラ４２の通信手段からの制御信号をそれらの通信手段を介して取り入れて制御する集中方式のコントローラである。各コントローラについて独立の制御を行わせる分散方式としてもよいことは当然である。
従って、図３においては内側コントローラ１４の代りにコントローラ５０を使用するものとして説明する。
【００２４】
コントローラ５０は、画面表示部５１、処理手段５２および記憶媒体５３を含み、格納したプログラムによって作動される。コントローラ５０は、前述のように住人の利用する通信手段５４、外部業者の利用する通信手段５５と通信して情報の授受を行うことができ、外扉１１および内扉１２に設けた鍵手段（鍵）５６、５７の解錠信号を生成して、送付し、鍵手段５６、５７の解錠をすることができる。
【００２５】
このように、荷受箱１０は、玄関外側から開く外扉１１と、玄関内側から開く内扉１２を備えた収納棚４を有し、収納棚の外扉１１および内扉１２は、パスワード情報の入力に基因して解錠される鍵手段５６、５７を備える。パスワード情報は、コントローラ５０によって生成される。すなわちコントローラ５０は、住人の利用する通信手段５４から外部業者の利用する通信手段５５に発信された発注情報アイテムに添付された第１のパスワードを入力して記録し、第２のパスワードを入力し、入力された第２のパスワードが第１のパスワードに一致するときに外扉１１についての鍵手段５６を解錠し、第３のパスワードを入力し、入力された第３のパスワードが第１のパスワードに一致するときに内扉についての鍵手段５７を解錠するパスワード情報を生成する。この場合に、住人の利用する通信手段５４からの第１のパスワードは、発注情報アイテムと一緒にサーバ２０に入力され、これと同時に当該パスワードはコントローラ５０に入力され、格納される。第２のパスワードは、外部の業者の利用する通信手段５５から、または直接的に外側コントローラ１３を介してコントローラ５０に入力され、第３のパスワードは、住人の利用する通信手段５４から、または直接的に内側コントローラ１４に入力される。
【００２６】
第１のパスワードと第２のパスワードが一致するかがコントローラ５０のパスワード一致判定部６１で判定され、一致するといずれかの収納棚４が表示部３３に表示され、外扉１１の解放が可能となる。かくして、外部業者である配送業者は表示のあった収納棚４の外扉１１を開放し、荷物（品物）３７を収納する。荷物３７には当該荷物の配達情報アイテム５８が貼付されており、配達情報アイテム５８の内容は、ＣＣＤカメラ５９によって、あるいは配達情報アイテム５８がＩＣチップであるような場合には検収手段によって検出され、コントローラ５０に入力される。そして、外側コントローラ１３を操作して配達が完了したことを入力する。
【００２７】
配達完了終了信号は直ちにサーバ２０に伝達され、サーバ２０から住人の有する通信手段５４に伝達される。コントローラ５０から住人の有する通信手段５４に直接的に伝達するようにしてもよい。いずれにしても荷受箱１０は、収納棚４に収納された荷物３７に添付（貼付）された配達情報アイテム５８を確認する手段と、確認した配達情報アイテム５８と当該荷物３７が収納された収納棚４についてのＩＤをコントローラ５０に発信する手段を備える。収納棚４が１個の場合には、当然に当該荷物３７が収納棚４に収納されたことを示す情報（ここではＩＤはこの情報を含むものとする）をコントローラ５０に発信する。
【００２８】
コントローラ５０の表示部５１に荷物３７の配達があったこと、および収納棚４についてのＩＤ表示がなされると住人はコントローラ５０に第３のパスワードを入力する。第３のパスワードが共に格納してある第１のパスワードと一致するかがパスワード一致判定部６１で判定され、一致性が認識されるとコントローラ５０は処理手段５２の配達情報アイテム表示部６２によって配達情報アイテム５８の内容を画面表示部５１に表示する。住人による配達承認が入力されると鍵手段の解錠部６３によって鍵手段５７の解錠を許可する信号を発する。この解錠許可信号が入力されると住人は内扉１２を開放し、荷物３７を取り出すことができる。この場合に、内扉について鍵手段５７が解錠された信号はサーバ２０を介して外部業者の利用する通信手段になされる。
【００２９】
第３のパスワードを入力する例にあっては、荷受システムは集合住宅あるいは外部業者の所有として運用するものであり、荷受システムを住人側の所有とする場合に第３のパスワードを入力しないで鍵手段５７を解錠できるものとする。
【００３０】
以上のように、サーバ２０は、住人の利用する通信手段５４から発信された発信情報アイテム５８および第１のパスワードを入力して記録し、外部業者の利用する通信手段５５に送信し、かつ外部業者の利用する通信手段５５から発信される配達情報アイテム５８を入力して記録し、コントローラ５０からの内扉１２についての鍵手段５７が解錠されたことを示す情報を入力して記録し、かつ外部業者の利用する通信手段５５に入力する事を行う。
鍵手段５６、５７の施錠は所定の方式に従って、あるいは所定の時間経過後に自動的になされる。
【００３１】
かくして、コントローラ５０は、確認した配達情報アイテム５８と第２のパスワードが入力されて内扉１２についての鍵手段５７が解錠されたことを外部業者の利用する通信手段５５に、そして配達情報アイテム５８とＩＤとを住人の利用する通信手段５４に送信することを行う。この場合の住人の利用する通信手段５４には携帯電話機、あるいは内側コントローラ１４の表示部２２への内部の通信手段が含まれる。
【００３２】
荷受システム１００は、貯蔵器１の内部に設置される質量検出器、貯蔵器１内に貯蔵する貯蔵アイテムの量を予め記録する記録媒体、質量検出器で計測されたデータおよび記録媒体に記録するデータから貯蔵アイテムの貯蔵状態を演算し、発注情報アイテムを作成する処理手段、発注情報アイテムを表示する残量表示板３６である情報表示手段、発注情報アイテムを記録する記録媒体、コントローラ５０と外部業者の利用する通信手段５５との間でデータの授受を行う通信手段を有する発注情報処理装置を備え、発注情報処理装置は、外部業者の利用する通信手段５５から送信された配達情報アイテムに対して確認した配達情報アイテムを生成し、コントローラ５０から送信される確認した配達情報アイテムと荷物３７が収納された収納棚４についてのＩＤを情報表示手段に表示することを行う。
【００３３】
コントローラ５０は、第１のパスワードに一致した第３のパスワードが入力されたとき、確認した配達情報アイテム５８と荷物３７が収納された収納棚４についてのＩＤを表示するアイテム表示手段５１を備える。
【００３４】
図４に荷受システムにおける通信手段の他の例を示す。貯蔵器１および荷受箱１０からの情報は通信線７１、７２により通信機能付電力メータ７３へ行き、通信機能付電力メータ７３からインターネット７４を介してサーバ２０へ送られる。サーバ２０へ送られた情報をもとにサーバ２０から必要な情報がインターネット７５を介して販売業者の情報端末機７６や配送業者の情報端末器７７へと送られる。
【００３５】
本実施例により、住人側において安全に居室にて荷物を受け取ることができ、常備品などの使用状況を監視しつつ、発注作業を容易になし、外部業者から見れば安全にかつ確実に配達のできる荷受システムを提供できる。
【図面の簡単な説明】
【００３６】
【図１】本発明の実施例の構成を示す図。
【図２】図１の構成に関し、玄関内側からの構成を示す図。
【図３】処理形態を示す図。
【図４】荷受システムにおける通信手段の他の例を示す図。
【符号の説明】
【００３７】
１…貯蔵器、１１…外扉、１２…内扉、１３…外部コントローラ、１４…内部コントローラ、１９、５５…外部業者の通信手段、３６…残量表示板（情報表示手段）４１、４２…アイテム表示装置（手段）、４３…外側表示板、４４…内側表示板、４８…貯蔵器コントローラ、４９…表示部、５０…コントローラ、５６、５７…鍵手段（鍵）、６２…配送情報アイテム表示部、６３…鍵手段の解錠部、１００…荷受システム。
【図１】
2005231767.tif 000003
【図２】
2005231767.tif 000004
【図３】
2005231767.tif 000005
【図４】
2005231767.tif 000006